(57)【特許請求の範囲】
【請求項１】
対象部位と接触する外刃、および、前記外刃に対して往復直線運動する内刃を備える刃ユニットと、
前記刃ユニットを支持するヘッドケースと、
前記ヘッドケースおよび前記刃ユニットに対する回転が可能な状態で前記ヘッドケースに支持される回転部材とを備え、
前記ヘッドケースの高さ方向において、前記刃ユニットおよび前記回転部材が前記ヘッドケースに対して同じ方向に連動して変位するように前記刃ユニットと前記回転部材とが連結され、
複数の前記刃ユニットを備え、
前記回転部材は前記複数の刃ユニットが並べられる方向において最も外側に配置される前記刃ユニットである最外刃ユニットの前記外刃よりも内側に配置され、
前記回転部材は前記最外刃ユニットを介して前記ヘッドケースにより支持される
電気かみそりのヘッド。
【請求項２】
前記回転部材は前記刃ユニットを介して前記ヘッドケースにより支持される
請求項１に記載の電気かみそりのヘッド。
【請求項３】
前記回転部材は隣り合う前記刃ユニットのうちの一方の前記刃ユニットと繋がり、他方の前記刃ユニットと繋がらない
請求項１または２に記載の電気かみそりのヘッド。
【請求項４】
前記ヘッドケースの高さ方向において前記回転部材の頂部の位置が前記外刃の頂部の位置よりも高い
請求項１〜３のいずれか一項に記載の電気かみそりのヘッド。
【請求項５】
前記ヘッドケースの高さ方向において前記回転部材の回転中心軸の位置が前記外刃の頂部の位置と同じ、または、前記外刃の頂部の位置よりも低い
請求項４に記載の電気かみそりのヘッド。
【請求項６】
前記回転部材の回転中心軸の方向において前記回転部材の中間部の径が前記回転部材の端部の径よりも太い
請求項１〜５のいずれか一項に記載の電気かみそりのヘッド。
【請求項７】
前記回転部材の端部から前記回転部材の中間部に向かうにつれて前記回転部材の径が次第に太くなる
請求項６に記載の電気かみそりのヘッド。
【請求項８】
前記刃ユニットは前記外刃および前記内刃を支持する支持ケースをさらに備え、
前記回転部材は前記支持ケースに対する回転が可能な状態で前記支持ケースに支持される
請求項１〜７のいずれか一項に記載の電気かみそりのヘッド。
【請求項９】
前記回転部材は、前記支持ケースに挿入される端部、および、前記回転部材の回転中心軸の方向において前記端部の内側に形成されるフランジを備え、
前記フランジは、前記回転部材の回転中心軸の方向において内側から外側に向かうにつれて径が太くなるテーパー形状を有する
請求項８に記載の電気かみそりのヘッド。
【請求項１０】
前記回転部材は前記支持ケースの頂部に配置され、
前記支持ケースにおける前記回転部材を支持する支持部の形状は、肌にソフトな接触感を与えることが可能な緩やかな傾斜を有する山形である
請求項８または９に記載の電気かみそりのヘッド。
【請求項１１】
前記ヘッドケースに支持され、前記刃ユニットに対して回転可能に前記回転部材を取り付ける回転支持部をさらに備え、
前記回転部材は前記回転支持部を介して前記刃ユニットと連結される
請求項１に記載の電気かみそりのヘッド。
【請求項１２】
請求項１〜１１のいずれか一項に記載の電気かみそりのヘッドを備える電気かみそり。
【発明の詳細な説明】
【技術分野】
【０００１】
本発明は電気かみそりおよびそのヘッドに関する。
【背景技術】
【０００２】
相対的に往復直線運動する外刃および内刃を備える複数の刃ユニットと、複数の刃ユニットを支持するヘッドケースとを備える電気かみそりのヘッドが知られている。その一例である特許文献１のヘッドは、隣り合う刃ユニットの間に配置され、ヘッドケースおよび刃ユニットに対して回転可能な回転部材を備える。複数の刃ユニットおよび回転部材は、ヘッドケースの高さ方向においてヘッドケースに対して個別に変位できるようにヘッドケースに支持される。
【０００３】
上記ヘッドが肌に接触して肌上を移動する場合、回転部材が肌との接触により回転するため、刃ユニットと肌との接触により生じる摩擦が低減される。このため、ヘッドが肌上を滑らかに移動する。
【先行技術文献】
【特許文献】
【０００４】
【特許文献１】特開２００９−２３２８９４号公報
【発明の概要】
【発明が解決しようとする課題】
【０００５】
ユーザーが例えば下顎骨または喉仏のように比較的大きな凸部が存在する部分に上記ヘッドを移動させて当てた場合、回転部材が肌に強く接触してごつごつした感触を覚えることがある。これは、回転部材が滑らかに回転していないことに起因して生じる現象と考えられる。また、回転部材がそのような挙動を取る理由は以下のように推測される。
【０００６】
上記ヘッドによれば、回転部材を挟み込むように複数の刃ユニットが配置されているため、凸部が存在する部分にヘッドが当てられる場合、刃ユニットが回転部材よりも先に凸部に接触し、次に回転部材が凸部に接触する。このとき、回転部材はヘッドケースに対する変位方向と異なる方向に移動しながら凸部に接触するため、回転部材がヘッドケースに対して変位しにくくなる。このため、回転部材と凸部とが強く接触し、それにより回転部材の回転抵抗が増加し、回転部材の回転が阻害されると考えられる。
【０００７】
本発明の目的は肌上における滑らかな移動を実現する電気かみそりおよびそのヘッドを提供することである。
【課題を解決するための手段】
【０００８】
本発明に従う電気かみそりのヘッドの一形態は、対象部位と接触する外刃、および、前記外刃に対して往復直線運動する内刃を備える刃ユニットと、前記刃ユニットを支持するヘッドケースと、前記ヘッドケースおよび前記刃ユニットに対する回転が可能な状態で前記ヘッドケースに支持される回転部材とを備え、前記ヘッドケースの高さ方向において、前記刃ユニットおよび前記回転部材が前記ヘッドケースに対して連動して変位するように前記刃ユニットと前記回転部材とが連結される。
【発明の効果】
【０００９】
上記電気かみそりおよびそのヘッドは、肌上における滑らかな移動を実現できる。
【図面の簡単な説明】
【００１０】
【図１】は実施の形態１の電気かみそりの斜視図である。
【図２】は図１の電気かみそりのヘッドの分解斜視図である。
【図３】は図２のヘッドをさらに分解した分解斜視図である。
【図４】は図３のヘッドをさらに分解した分解斜視図である。
【図５】は図４の最外刃ユニットの分解斜視図である。
【図６】は図５の回転部材のフランジと支持ケースの支持部とを示す断面図である。
【図７】は図３の刃ユニットの側面図である。
【図８】は図３のＤ８−Ｄ８線に沿う断面図である。
【図９】は図１の電気かみそりの使用状態の一例を示す動作図である。
【図１０】は図９の電気かみそりを進行方向に移動させたときの動作図である。
【図１１】は図１０の電気かみそりを進行方向に移動させたときの動作図である。
【図１２】は実施の形態２の電気かみそりの刃ユニットの斜視図である。
【発明を実施するための形態】
【００１１】
（電気かみそりおよびそのヘッドが取り得る形態の一例）
〔１〕本発明に従う電気かみそりのヘッドの一形態は、対象部位と接触する外刃、および、前記外刃に対して往復直線運動する内刃を備える刃ユニットと、前記刃ユニットを支持するヘッドケースと、前記ヘッドケースおよび前記刃ユニットに対する回転が可能な状態で前記ヘッドケースに支持される回転部材とを備え、前記ヘッドケースの高さ方向において、前記刃ユニットおよび前記回転部材が前記ヘッドケースに対して連動して変位するように前記刃ユニットと前記回転部材とが連結される。
【００１２】
ユーザーの肌は、下顎骨または喉仏等のように比較的大きな凸部が存在する。本電気かみそりのヘッドによれば、刃ユニットが回転部材よりも先に凸部に接触するようにヘッドを移動させた場合、刃ユニットが凸部と接触することにより刃ユニットがヘッドケースに対して変位し、その変位に連動して回転部材が変位する。この場合、ヘッドを肌に当てて移動させる過程において回転部材と凸部とが強く接触しにくいため、回転部材の回転が阻害されにくい。このため、本電気かみそりのヘッドによれば、肌上における滑らかな移動が実現される。
【００１３】
〔２〕前記電気かみそりのヘッドの一例によれば、前記回転部材は前記刃ユニットを介して前記ヘッドケースにより支持される。
本電気かみそりのヘッドによれば、回転部材の取付構造が簡素化される。このため、ヘッドの小型化およびコストの削減の効果が得られる。
【００１４】
〔３〕前記電気かみそりのヘッドの一例によれば、複数の前記刃ユニットを備え、前記回転部材は前記複数の刃ユニットが並べられる方向において最も外側に配置される前記刃ユニットである最外刃ユニットの前記外刃よりも内側に配置される。
【００１５】
肌の狭い部位である鼻下等に生えている毛は、例えば複数の刃ユニットのうちの最外刃ユニットによりカットされる。一方、例えば最外刃ユニットの外刃よりも外側に回転部材が配置される場合、最外刃ユニットと鼻下との接触が回転部材により妨げられる。本電気かみそりのヘッドは、この点を踏まえ回転部材を配置しているため、肌の狭い部位に生えている毛のカットが回転部材により妨げられにくい。
【００１６】
〔４〕前記電気かみそりのヘッドの一例によれば、前記回転部材は隣り合う前記刃ユニットのうちの一方の前記刃ユニットと繋がり、他方の前記刃ユニットと繋がらない。
本電気かみそりのヘッドによれば、隣り合う刃ユニットの両方と回転部材が繋がる場合と比較して、部品点数が削減される。このため、ヘッドの小型化およびコストの削減の効果が得られる。
【００１７】
〔５〕前記電気かみそりのヘッドの一例によれば、前記回転部材は前記最外刃ユニットを介して前記ヘッドケースにより支持される。
本電気かみそりのヘッドによれば、回転部材が最外刃ユニットに支持されるため、刃ユニットの全部が肌に当てられる場合、および、最外刃ユニットだけが肌に当てられる場合の両方において、回転部材と肌とが接触しやすい。このため、刃ユニットと肌との接触により発生する摩擦が回転部材により安定して低減されやすい。
【００１８】
〔６〕前記電気かみそりのヘッドの一例によれば、前記ヘッドケースの高さ方向において前記回転部材の頂部の位置が前記外刃の頂部の位置よりも高い。
本電気かみそりのヘッドによれば、ヘッドケースの高さ方向において回転部材の頂部の位置が外刃の頂部の位置よりも低い場合と比較して、回転部材と肌とが接触しやすい。このため、回転部材が刃ユニットに対して回転しやすくなり、刃ユニットと肌との接触により発生する摩擦が一層低減されやすい。
【００１９】
〔７〕前記電気かみそりのヘッドの一例によれば、前記ヘッドケースの高さ方向において前記回転部材の回転中心軸の位置が前記外刃の頂部の位置と同じ、または、前記外刃の頂部の位置よりも低い。
【００２０】
ヘッドケースの高さ方向において回転部材の回転中心軸の位置が外刃の頂部の位置よりも高い場合において、回転部材を肌に沿って良好に回転させようとすれば、刃ユニットと肌との距離が大きくなる。このため、肌に生えている毛がカットされにくくなる。
【００２１】
一方、ヘッドケースの高さ方向において回転部材の回転中心軸の位置が外刃の頂部の位置よりも高い場合において、刃ユニットと肌とを良好に接触させようとすれば、回転部材と肌とが接触する強さが大きくなる。このため、回転部材が刃ユニットに対して回転しにくくなる。
【００２２】
本電気かみそりのヘッドは、この点を踏まえ回転部材の回転中心軸の位置が設定されている。このため、ヘッドケースの高さ方向において回転部材の回転中心軸の位置が外刃の頂部の位置よりも高い場合と比較して、肌に生えている毛がカットされやすく、回転部材が刃ユニットに対して回転しやすい。
【００２３】
〔８〕前記電気かみそりのヘッドの一例によれば、前記回転部材の回転中心軸の方向において前記回転部材の中間部の径が前記回転部材の端部の径よりも太い。
本電気かみそりのヘッドが肌に当てられる場合、回転部材の中間部が回転部材の端部よりも肌に当たりやすい。また、回転部材の径を太くすれば、回転部材が刃ユニットに対して回転しやすくなることが考えられる。本電気かみそりのヘッドは、この点を踏まえ回転部材の径が設定されているため、回転部材が刃ユニットに対して回転しやすい。このため、刃ユニットと肌との接触により発生する摩擦が低減されやすい。
【００２４】
〔９〕前記電気かみそりのヘッドの一例によれば、前記回転部材の端部から前記回転部材の中間部に向かうにつれて前記回転部材の径が次第に太くなる。
回転部材の中間部の径が局所的に太い場合、主に回転部材の中間部と肌とが接触するため、回転部材と肌との接触面積が狭くなる。一方、本電気かみそりのヘッドによれば、回転部材の中間部の径が局所的に太い場合と比較して回転部材と肌との接触面積が広くなるため、回転部材と肌とがフィットしやすい。このため、回転部材が肌に沿って回転しやすくなる。このため、ヘッドを肌に沿って滑らかに移動させやすい。
【００２５】
〔１０〕前記電気かみそりのヘッドの一例によれば、前記刃ユニットは前記外刃および前記内刃を支持する支持ケースをさらに備え、前記回転部材は前記支持ケースに対する回転が可能な状態で前記支持ケースに支持される。
【００２６】
本電気かみそりのヘッドによれば、外刃および内刃を支持する支持ケースに回転部材がさらに支持されるため、支持ケースとは別の部材に回転部材が支持される場合と比較して、部品点数が削減される。このため、ヘッドの小型化およびコストの削減の効果が得られる。
【００２７】
〔１１〕前記電気かみそりのヘッドの一例によれば、前記回転部材は、前記支持ケースに挿入される端部、および、前記回転部材の回転中心軸の方向において前記端部の内側に形成されるフランジを備え、前記フランジは、前記回転部材の回転中心軸の方向において内側から外側に向かうにつれて径が太くなるテーパー形状を有する。
【００２８】
電気かみそりのヘッドを肌に当てて移動させる場合、回転部材の端部と支持ケースとの接続面である支持ケースの内面に対して肌が摺動することがある。この場合、支持ケースの内面と肌とが摺動することにより摩擦が発生しやすくなる。一方、本電気かみそりのヘッドによれば、回転部材にフランジが形成されているため、支持ケースの内面と肌との接触がフランジにより妨げられやすい。このため、支持ケースの内面と肌との接触により発生する摩擦が低減されやすい。
【００２９】
〔１２〕前記電気かみそりのヘッドの一例によれば、前記回転部材は前記支持ケースの頂部に配置され、前記支持ケースにおける前記回転部材を支持する支持部の形状は、肌にソフトな接触感を与えることが可能な緩やかな傾斜を有する山形である。
【００３０】
支持部の形状に角が存在する場合、支持部と肌との接触により肌に刺激が与えられることがある。本電気かみそりのヘッドによれば、この点を踏まえ支持部の形状が設定されているため、支持部と肌とが接触した場合に肌が支持部の傾斜に沿って滑ることにより、肌に刺激が与えられにくい。
【００３１】
〔１３〕前記電気かみそりのヘッドの一例によれば、前記ヘッドケースに支持され、前記刃ユニットに対して回転可能に前記回転部材を取り付ける回転支持部をさらに備え、前記回転部材は前記回転支持部を介して前記刃ユニットと連結される。
【００３２】
本電気かみそりのヘッドによれば、上記〔１〕の効果と実質的に同じ効果が得られる。
〔１４〕本発明に従う電気かみそりの一形態は、上記〔１〕〜〔１３〕のいずれかに記載の電気かみそりのヘッドを備える。
【００３３】
本電気かみそりによれば、上記電気かみそりのヘッドにより得られる効果と同様の効果が得られる。
（実施の形態１）
図１に示される電気かみそり１は、電気かみそり１を構成する複数の要素を備える本体１０、毛をカットする機能を備えるヘッド３０、および、本体１０とヘッド３０とを繋げるヘッド支持部２０を備える。
【００３４】
本体１０は、ユーザーにより握られるグリップ１１、電気かみそり１の電源のオンおよびオフを切り替える電源スイッチ１２、および、ヘッド３０を駆動する駆動源（図示略）に電力を供給する電力供給部（図示略）を備える。電力供給部は、例えば駆動源の電源であるバッテリー、交流電力を直流電力に変換するコンバータ、および、駆動源を駆動するための駆動回路により構成される。
【００３５】
ヘッド３０は２つの回転軸まわりで揺動できるようにヘッド支持部２０に支持される。２つの回転軸の一方はヘッド３０の長手方向に沿う回転軸である。２つの回転軸の他方はヘッド３０の短手方向に沿う回転軸である。ヘッド支持部２０は例えば四節リンク機構により、ヘッド３０を揺動させるための回転軸を形成する。
【００３６】
図２に示されるとおり、ヘッド３０は、対象部位である肌１００（図９参照）と接触する外刃、および、外刃に対して往復直線運動する内刃を備える複数の刃ユニット４０、ならびに、複数の刃ユニット４０を支持するヘッドケース３１を備える。ヘッド３０はさらに、複数の刃ユニット４０を駆動する駆動源、および、複数の刃ユニット４０と駆動源とを繋げる複数の伝達機構３２を備える。駆動源の一例はリニアモーターである。
【００３７】
ヘッドケース３１は、複数の刃ユニット４０が配置される保持ケース３１Ｃ（図３参照）、複数の刃ユニット４０を覆うように保持ケース３１Ｃに取り付けられる上部アウターケース３１Ａ、および、駆動源を収容する下部アウターケース３１Ｂを含む。上部アウターケース３１Ａと保持ケース３１Ｃとが結合され、上部アウターケース３１Ａと下部アウターケース３１Ｂとが結合されることによりヘッド３０が構成される。
【００３８】
図３に示されるとおり、複数の刃ユニット４０は、ヘッド３０の短手方向において最も外側に配置される一対の最外刃ユニット５０、ヘッド３０の短手方向において最も内側に配置される最内刃ユニット７０、および、最外刃ユニット５０と最内刃ユニット７０との間に配置される一対の中間刃ユニット６０を含む。なお、ヘッド３０の短手方向は複数の刃ユニット４０が並べられる方向に沿う。
【００３９】
各刃ユニット５０、６０、７０は、ヘッドケース３１の高さ方向においてヘッドケース３１に対して個別に変位できるように保持ケース３１Ｃに取り付けられる。各刃ユニット５０、６０、７０が取り付けられた後、保持ケース３１Ｃの上から上部アウターケース３１Ａが嵌め込まれることにより上部アウターケース３１Ａと保持ケース３１Ｃとが結合される。
【００４０】
図２に示されるとおり、中間刃ユニット６０は、メッシュ状の外刃６１およびスリット状の内刃６２を備える。外刃６１は、ヘッドケース３１の高さ方向において保持ケース３１Ｃ（図３参照）に対して変位するように保持ケース３１Ｃに支持される。内刃６２は伝達機構３２に取り付けられる。伝達機構３２には、内刃６２を外刃６１に近づける方向に作用する反力を内刃６２に与える弾性部材６３が取り付けられている。弾性部材６３の一例はコイルばねである。
【００４１】
中間刃ユニット６０を本体１０側に押す力が外刃６１に作用する場合、中間刃ユニット６０が弾性部材６３を圧縮しながらヘッドケース３１に対して本体１０側に変位する。一方、外刃６１に作用する押す力が低下した場合、中間刃ユニット６０がヘッドケース３１に対して本体１０とは反対側に移動する。
【００４２】
駆動源と繋げられる伝達機構３２の数の一例は２つである。各伝達機構３２は下部アウターケース３１Ｂから突き出るように配置される。一方の伝達機構３２には、一方の最外刃ユニット５０の内刃５２（図５参照）、一方の中間刃ユニット６０の内刃６２、および、最内刃ユニット７０の内刃７２（図４参照）が取り付けられる。他方の伝達機構３２には、他方の最外刃ユニット５０の内刃５２、および、他方の中間刃ユニット６０の内刃６２が取り付けられる。
【００４３】
駆動源が駆動することにより各伝達機構３２がヘッド３０の長手方向に往復直線運動する。一方の伝達機構３２の運動の位相と他方の伝達機構３２の運動の位相との関係は逆位相である。このため、一方の最外刃ユニット５０の内刃５２、一方の中間刃ユニット６０の内刃６２、および、最内刃ユニット７０の内刃７２と、他方の最外刃ユニット５０の内刃５２、および、他方の中間刃ユニット６０の内刃６２とが、反対方向に往復直線運動する。
【００４４】
図４に示されるとおり、最内刃ユニット７０は、スリット状の外刃７１および内刃７２、ならびに、内刃７２を外刃７１に近づける方向に作用する反力を内刃７２に与える２つの弾性部材７３を備える。最内刃ユニット７０は、ヘッドケース３１の高さ方向において保持ケース３１Ｃに対して変位するように保持ケース３１Ｃに支持される。弾性部材７３の一例はコイルばねである。最内刃ユニット７０と保持ケース３１Ｃとの間には、本体１０（図１参照）とは反対の方向に作用する反力を最内刃ユニット７０に与える２つの弾性部材７４が取り付けられている。弾性部材７４の一例はコイルばねである。最内刃ユニット７０は、弾性部材７４により中間刃ユニット６０と実質的に同様に動作する。
【００４５】
最外刃ユニット５０は、ヘッドケース３１の高さ方向において保持ケース３１Ｃに対して変位するように保持ケース３１Ｃに支持される。最外刃ユニット５０と保持ケース３１Ｃとの間には、本体１０とは反対の方向に作用する反力を最外刃ユニット５０に与える２つの弾性部材５６が取り付けられている。弾性部材５６の一例はコイルばねである。最外刃ユニット５０は、弾性部材５６により中間刃ユニット６０と実質的に同様に動作する。
【００４６】
図５に示されるとおり、最外刃ユニット５０は、メッシュ状の刃部５１Ａと刃部５１Ａを支持する外刃ケース５１Ｂとを備える外刃５１、および、スリット状の刃部５２Ａと刃部５２Ａを支持する内刃ケース５２Ｂとを備える内刃５２を備える。内刃ケース５２Ｂの長手方向における中心に形成される取付部５２Ｃに伝達機構３２（図２参照）の一部が取り付けられる。最外刃ユニット５０はさらに、内刃５２を外刃５１に近づける方向に作用する反力を内刃５２に与える２つの弾性部材５３、ならびに、外刃５１、内刃５２、および、弾性部材５３を支持する支持ケース５４を備える。弾性部材５３の一例はコイルばねである。
【００４７】
ヘッド３０（図２参照）は、ヘッドケース３１（図２参照）および最外刃ユニット５０に対する回転が可能な状態で最外刃ユニット５０を介してヘッドケース３１により支持される一対の回転部材８０をさらに備える。回転部材８０はヘッド３０の短手方向において最外刃ユニット５０の外刃５１よりも内側に配置される。なお、回転部材８０は最外刃ユニット５０と繋がり、最外刃ユニット５０の隣に配置される中間刃ユニット６０（図４参照）とは繋がらない。
【００４８】
回転部材８０は、最外刃ユニット５０の長手方向に伸びるローラー８１、支持ケース５４に挿入される端部８２、および、回転部材８０の回転中心軸の方向において端部８２の内側に形成されるフランジ８３を備える。回転部材８０は回転中心軸の方向における中心線に対して線対称の関係を有する。
【００４９】
ローラー８１は、回転中心軸の方向における端部から中間部に向かうにつれてローラー８１の径が次第に太くなる。すなわち、回転中心軸の方向においてローラー８１の中間部の径がローラー８１の端部の径よりも太い。
【００５０】
回転部材８０は、支持ケース５４に対する回転が可能な状態で支持ケース５４の頂部である支持部５５に支持される。回転部材８０の各端部８２が支持部５５に形成される嵌合部５５Ｃに嵌め込まれることにより、最外刃ユニット５０と回転部材８０とが連結される。このため、ヘッドケース３１の高さ方向において、最外刃ユニット５０および回転部材８０がヘッドケース３１に対して連動して変位する。
【００５１】
図６に示されるとおり、回転部材８０のフランジ８３は、回転中心軸の方向において内側から外側に向かうにつれて径が太くなるテーパー形状を有する。フランジ８３の頂部の高さは、支持部５５の頂部の高さと実質的に同じである。
【００５２】
図７に示されるとおり、支持ケース５４の支持部５５の形状は、肌１００（図９参照）にソフトな接触感を与えることが可能な緩やかな傾斜である第１の傾斜面５５Ａおよび第２の傾斜面５５Ｂを有する山形である。第１の傾斜面５５Ａは、支持部５５の頂部から最外刃ユニット５０の外刃５１側に向かう傾斜面である。第２の傾斜面５５Ｂは、支持部５５の頂部から最外刃ユニット５０の隣に配置される中間刃ユニット６０側に向かう傾斜面である。
【００５３】
図８に示されるとおり、ヘッドケース３１の高さ方向において一方の最外刃ユニット５０が他方の最外刃ユニット５０よりも低い。一方の最外刃ユニット５０は、図１に示される電気かみそり１の手前側に配置される最外刃ユニット５０である。すなわち、ヘッドケース３１の高さ方向において一方の最外刃ユニット５０に配置される回転部材８０も他方の最外刃ユニット５０に配置される回転部材８０よりも低い。
【００５４】
ヘッドケース３１の高さ方向において回転部材８０の頂部の位置が最外刃ユニット５０における外刃５１の頂部の位置よりも高く、所定の距離ＬＡが開いている。また、ヘッドケース３１の高さ方向において回転部材８０の回転中心軸の位置が最外刃ユニット５０における外刃５１の頂部の位置よりも低く、所定の距離ＬＢが開いている。距離ＬＡは距離ＬＢよりも短く設定される。なお、距離ＬＡおよび距離ＬＢは、回転部材８０の径の太さ、および、支持ケース５４の支持部５５に対する回転部材８０の配置により決められ、距離ＬＢは距離ＬＡに基づいて決められる。
【００５５】
図９〜図１１を参照して、電気かみそり１のヘッド３０の動作について説明する。
ユーザーの肌１００は、下顎骨または喉仏等のように比較的大きな凸部１０１、および、顎の下または頬等のように凹凸が比較的小さい平面部１０２が存在する。電気かみそり１（図１参照）を使用するユーザーは、ヘッド３０を肌１００に当てて、肌１００上を移動させる。このため、肌１００における凸部１０１および平面部１０２に生えている毛が複数の刃ユニット４０によりカットされる。
【００５６】
図９に示されるとおり、例えばユーザーはヘッド３０を平面部１０２に当てて平面部１０２上を凸部１０１側に向かって移動させる。そして、ヘッド３０が凸部１０１に当てられた場合、回転部材８０が最外刃ユニット５０の外刃５１よりも内側に配置されるため、最外刃ユニット５０が回転部材８０よりも先に凸部１０１に接触する。このため、ヘッドケース３１の高さ方向において、最外刃ユニット５０がヘッドケース３１に対して変位し、図１０に示されるとおり最外刃ユニット５０の変位に連動して回転部材８０もヘッドケース３１に対して変位する。
【００５７】
この場合、ヘッド３０を肌１００に当てて移動させる過程において回転部材８０と凸部１０１とが強く接触しにくいため、回転部材８０の回転が阻害されにくい。このため、肌１００上における滑らかな移動が実現される。
【００５８】
また、ユーザーはヘッド３０が凸部１０１に当てられた状態から、凸部１０１上を平面部１０２側に向かってさらに移動させる。そして、ヘッド３０における最外刃ユニット５０および回転部材８０が凸部１０１を通過することにより、最外刃ユニット５０を本体１０（図１参照）側に押す力が作用しなくなる。このため、図１１に示されるとおり最外刃ユニット５０がヘッドケース３１に対して復帰するとともに回転部材８０も復帰する。
【００５９】
この場合、最外刃ユニット５０と肌１００とが接触している状態において回転部材８０と肌１００とが接触しているため、最外刃ユニット５０と肌１００との接触により発生する摩擦が回転部材８０により低減される状態が維持されやすい。このため、肌１００上における滑らかな移動が実現される。このように、電気かみそり１（図１参照）のヘッド３０が動作することにより、肌１００の凸部１０１と平面部１０２とを跨いでヘッド３０を移動させる場合であっても、肌１００上を滑らかに移動できる。
【００６０】
実施の形態１の電気かみそり１のヘッド３０によれば、さらに以下の効果が得られる。
（１）電気かみそり１のヘッド３０によれば、回転部材８０が最外刃ユニット５０を介してヘッドケース３１により支持されるため、回転部材８０を取付構造が簡素化される。このため、ヘッド３０の小型化およびコストの削減の効果が得られる。
【００６１】
また、ヘッド３０によれば、回転部材８０が最外刃ユニット５０に支持されるため、刃ユニット４０の全部が肌１００に当てられる場合、および、最外刃ユニット５０だけが肌１００に当てられる場合の両方において、回転部材８０と肌１００とが接触しやすい。このため、刃ユニット４０と肌１００との接触により発生する摩擦が回転部材８０により安定して低減されやすい。
【００６２】
（２）肌１００の狭い部位である鼻下等に生えている毛は、例えば複数の刃ユニット４０のうちの最外刃ユニット５０によりカットされる。一方、例えば最外刃ユニット５０の外刃５１よりも外側に回転部材８０が配置される場合、最外刃ユニット５０と鼻下との接触が回転部材８０により妨げられる。電気かみそり１のヘッド３０によれば、回転部材８０がヘッド３０の短手方向において最外刃ユニット５０の外刃５１よりも内側に配置されるため、肌１００の狭い部位に生えている毛のカットが回転部材８０により妨げられにくい。
【００６３】
（３）電気かみそり１のヘッド３０によれば、回転部材８０が最外刃ユニット５０と繋がり、最外刃ユニット５０の隣に配置される中間刃ユニット６０とは繋がらない。この場合、回転部材８０が最外刃ユニット５０および中間刃ユニット６０の両方と繋がる構成と比較して、部品点数が削減される。このため、ヘッド３０の小型化およびコストの削減の効果が得られる。
【００６４】
（４）電気かみそり１のヘッド３０によれば、ヘッドケース３１の高さ方向において回転部材８０の頂部の位置が最外刃ユニット５０における外刃５１の頂部の位置よりも高い。このため、ヘッドケース３１の高さ方向において回転部材８０の頂部の位置が最外刃ユニット５０における外刃５１の頂部の位置よりも低い場合と比較して、回転部材８０と肌１００とが接触しやすい。このため、回転部材８０が最外刃ユニット５０に対して回転しやすくなり、最外刃ユニット５０と肌１００との接触により発生する摩擦が一層低減されやすい。
【００６５】
（５）ヘッドケース３１の高さ方向において回転部材８０の回転中心軸の位置が最外刃ユニット５０における外刃５１の頂部の位置よりも高い場合において、回転部材８０を肌に沿って良好に回転させようとすれば、最外刃ユニット５０と肌１００との距離が大きくなる。このため、肌１００に生えている毛がカットされにくくなる。
【００６６】
一方、ヘッドケース３１の高さ方向において回転部材８０の回転中心軸の位置が最外刃ユニット５０における外刃５１の頂部の位置よりも高い場合において、最外刃ユニット５０と肌１００とを良好に接触させようとすれば、回転部材８０と肌１００とが接触する強さが大きくなる。このため、回転部材８０が最外刃ユニット５０に対して回転しにくくなる。
【００６７】
電気かみそり１のヘッド３０によれば、ヘッドケース３１の高さ方向において回転部材８０の回転中心軸の位置が最外刃ユニット５０における外刃５１の頂部の位置よりも低い。このため、ヘッドケース３１の高さ方向において回転部材８０の回転中心軸の位置が最外刃ユニット５０における外刃５１の頂部の位置よりも高い場合と比較して、肌１００に生えている毛がカットされやすく、回転部材８０が最外刃ユニット５０に対して回転しやすい。
【００６８】
（６）電気かみそり１のヘッド３０が肌１００に当てられる場合、ローラー８１の中間部がローラー８１の端部よりも肌に当たりやすい。また、ローラー８１の径を太くすれば、ローラー８１が最外刃ユニット５０に対して回転しやすくなることが考えられる。一方、電気かみそり１のヘッド３０によれば、回転中心軸の方向においてローラー８１の中間部の径がローラー８１の端部の径よりも太いため、ローラー８１が最外刃ユニット５０に対して回転しやすい。このため、最外刃ユニット５０と肌１００との接触により発生する摩擦が低減されやすい。
【００６９】
（７）ローラー８１の中間部の径が局所的に太い場合、主にローラー８１の中間部と肌１００とが接触するため、ローラー８１と肌１００との接触面積が狭くなる。一方、電気かみそり１のヘッド３０は、回転中心軸の方向における端部から中間部に向かうにつれてローラー８１の径が次第に太くなる。このため、ローラー８１の中間部の径が局所的に太い場合と比較してローラー８１と肌１００との接触面積が広くなり、ローラー８１と肌１００とがフィットしやすい。このため、ローラー８１が肌に沿って回転しやすくなる。このため、ヘッド３０を肌に沿って滑らかに移動させやすい。
【００７０】
（８）電気かみそり１のヘッド３０によれば、最外刃ユニット５０における外刃５１および内刃５２を支持する支持ケース５４に回転部材８０がさらに支持される。このため、支持ケース５４とは別の部材に回転部材８０が支持される場合と比較して、部品点数が削減される。このため、ヘッド３０の小型化およびコストの削減の効果が得られる。
【００７１】
（９）電気かみそりのヘッドを肌１００に当てて移動させる場合、回転部材８０の端部８２と支持ケース５４との接続面である支持ケース５４の内面に対して肌１００が摺動することがある。この場合、支持ケース５４の内面と肌１００とが摺動することにより摩擦が発生しやすくなる。一方、電気かみそり１のヘッド３０によれば、回転部材８０の回転中心軸の方向において内側から外側に向かうにつれて径が太くなるテーパー形状を有するフランジ８３が回転部材８０の回転中心軸の方向において端部８２の内側に形成される。また、フランジ８３の頂部の高さは、支持部５５の頂部の高さと実質的に同じである。このため、支持ケース５４の内面と肌１００との接触がフランジ８３により妨げられやすくなる。このため、支持ケース５４の内面と肌１００との接触により発生する摩擦が低減されやすい。
【００７２】
（１０）支持ケース５４の支持部５５の形状に角が存在する場合、支持部５５と肌１００との接触により肌１００に刺激が与えられることがある。一方、電気かみそり１のヘッド３０によれば、支持部５５の形状が肌１００にソフトな接触感を与えることが可能な緩やかな傾斜である第１の傾斜面５５Ａおよび第２の傾斜面５５Ｂを有する山形である。このため、支持部５５と肌１００とが接触した場合に肌１００が支持部５５の各傾斜面５５Ａ、５５Ｂに沿って滑ることにより、肌１００に刺激が与えられにくい。
【００７３】
（実施の形態２）
実施の形態２の電気かみそり１のヘッド３０は以下に説明する点において実施の形態１の電気かみそり１のヘッド３０と相違し、その他の点において実施の形態１の電気かみそり１のヘッド３０と実質的に同じ構成を備える。なお、実施の形態２の電気かみそり１のヘッド３０の説明は実施の形態１の電気かみそり１のヘッド３０と共通する構成に同一の符号を付し、その構成の説明の一部または全部を省略する。
【００７４】
図１２に示されるとおり、ヘッド３０は、保持ケース３１Ｃに支持され、最外刃ユニット５０に対して回転可能に回転部材８０を取り付ける回転支持部９０をさらに備える。回転支持部９０は、ヘッドケース３１の高さ方向において保持ケース３１Ｃに対して変位するように保持ケース３１Ｃに支持される。回転支持部９０と保持ケース３１Ｃとの間には、本体１０（図１参照）とは反対の方向に作用する反力を回転支持部９０に与える弾性部材（図示略）が取り付けられている。弾性部材の一例はコイルばねである。
【００７５】
また、回転支持部９０は最外刃ユニット５０側に突出するリブ９１を備え、リブ９１が支持部５５の第２の傾斜面５５Ｂに形成される凹部５５Ｄに嵌め込まれる。すなわち、回転部材８０が回転支持部９０を介して最外刃ユニット５０と連結される。このため、ヘッドケース３１の高さ方向において、最外刃ユニット５０および回転部材８０がヘッドケース３１に対して連動して変位する。なお、実施の形態２の電気かみそり１のヘッド３０によれば、実施の形態１により得られる効果と実質的に同じ効果が得られる。
【００７６】
（変形例）
実施の形態に関する説明は本発明に従う電気かみそりおよびそのヘッドが取り得る形態の例示であり、その形態を制限することを意図していない。本発明に従う電気かみそりおよびそのヘッドは実施の形態以外に例えば以下に示される実施の形態の変形例、および、相互に矛盾しない少なくとも２つの変形例が組み合わせられた形態を取り得る。
【００７７】
・実施の形態１の変形例によれば、回転部材８０が最外刃ユニット５０に加えて、最外刃ユニット５０の隣に配置される中間刃ユニット６０とも繋げられる。この変形例によれば、最外刃ユニット５０および中間刃ユニット６０の一方がヘッドケース３１に対して変位した場合、その変位に応じて最外刃ユニット５０および中間刃ユニット６０の他方と回転部材８０とが連動して変位する。
【００７８】
・実施の形態１の変形例によれば、最外刃ユニット５０に代えて、中間刃ユニット６０および最内刃ユニット７０の少なくとも一方により回転部材８０が支持される。
・実施の形態２の変形例によれば、回転支持部９０と保持ケース３１Ｃとの間に取り付けられる弾性部材、および、最外刃ユニット５０と保持ケース３１Ｃとの間に取り付けられる弾性部材５６の一方が省略される。
【００７９】
・実施の形態２の変形例によれば、回転支持部９０がヘッドケース３１の高さ方向において上部アウターケース３１Ａに対して変位するように上部アウターケース３１Ａに支持される。
【００８０】
・フランジ８３の頂部の高さと支持部５５の頂部の高さとの関係は任意の選択事項である。一例によれば、フランジ８３の頂部の高さが支持部５５の頂部の高さよりも高い。このため、電気かみそり１のヘッド３０を肌１００に当てて移動する場合において、肌１００と支持部５５の頂部との接触がフランジ８３により一層妨げられやすい。
【００８１】
・変形例の回転部材８０によれば、フランジ８３の径が均一である。
・変形例の回転部材８０によれば、フランジ８３が省略される。
・回転部材８０の端部８２と支持部５５の嵌合部５５Ｃとの関係は任意の選択事項である。一例によれば、端部８２に凹部が形成され、嵌合部５５Ｃに凸部が形成されることにより、嵌合部５５Ｃが端部８２に嵌め込まれる。
【００８２】
・変形例の回転部材８０は、回転中心軸の方向における一方の端部８２から他方の端部８２までの径が均一である。
・変形例の回転部材８０によれば、回転中心軸の方向における端部から中間部に向かうにつれてローラー８１の径が次第に細くなる。
【００８３】
・距離ＬＡと距離ＬＢとの関係は任意の選択事項である。一例によれば、距離ＬＡは距離ＬＢと実質的に同じ距離に設定される。
・ヘッドケース３１の高さ方向において回転部材８０の頂部の位置と最外刃ユニット５０における外刃５１の頂部の位置との関係は任意の選択事項である。一例によれば、ヘッドケース３１の高さ方向において回転部材８０の頂部の位置は最外刃ユニット５０における外刃５１の頂部の位置と実質的に同じ位置である。
【００８４】
・ヘッドケース３１の高さ方向において回転部材８０の回転中心軸の位置と最外刃ユニット５０における外刃５１の頂部の位置との関係は任意の選択事項である。一例によれば、ヘッドケース３１の高さ方向において回転部材８０の回転中心軸の位置は最外刃ユニット５０における外刃５１の頂部の位置と実質的に同じ位置である。
【００８５】
・回転部材８０の数は任意の選択事項である。この変形例によれば、１つまたは３つ以上の回転部材８０が複数の刃ユニット４０のうちの少なくとも１つの刃ユニット４０に支持される。
【００８６】
・変形例の支持ケース５４によれば、支持部５５の第１の傾斜面５５Ａおよび第２の傾斜面５５Ｂの少なくとも一方が省略される。一例によれば、支持部５５における最外刃ユニット５０の隣に配置される中間刃ユニット６０側の面が支持部５５の頂部に対して垂直に形成される。
【００８７】
・各弾性部材５３、５６、６３、７３、７４の種類は任意の選択事項である。一例によれば、各弾性部材５３、５６、６３、７３、７４は板ばねまたは皿ばねである。
・変形例のヘッド３０によれば、ヘッドケース３１から保持ケース３１Ｃが省略される。この場合、複数の刃ユニット４０は上部アウターケース３１Ａに支持される。
【００８８】
・ヘッド３０における刃ユニット４０の数は任意の選択事項である。一例によれば、５つの刃ユニット４０のうちの１つ、２つ、３つ、または、４つの刃ユニット４０が省略される。別の一例によれば、ヘッド３０は、５つの刃ユニット４０に加えて少なくとも１つの刃ユニット４０をさらに備える。
【００８９】
・変形例のヘッド支持部２０によれば、２つの回転軸まわりにヘッド３０を揺動させるための２つの四節リンク機構のうちの少なくとも１つが省略される。
・変形例の電気かみそり１は、ヘッドケース３１の高さ方向において、ヘッド３０が本体１０に対して変位する構造をさらに備える。この変形例によれば、肌１００に対するヘッド３０の追従性が向上する。
【産業上の利用可能性】
【００９０】
本電気かみそりおよびそのヘッドは例えば脱毛器または除毛器等の用途に利用できる。
【符号の説明】
【００９１】
１    ：電気かみそり
３０  ：ヘッド
３１  ：ヘッドケース
４０  ：刃ユニット
５０  ：最外刃ユニット
５１  ：外刃
５２  ：内刃
５４  ：支持ケース
５５  ：支持部
６０  ：中間刃ユニット（刃ユニット）
６１  ：外刃
６２  ：内刃
７０  ：最内刃ユニット（刃ユニット）
７１  ：外刃
７２  ：内刃
８０  ：回転部材
８２  ：端部
８３  ：フランジ
９０  ：回転支持部
１００：肌（対象部位）
【図１】
0006440117.tif 000002
【図２】
0006440117.tif 000003
【図３】
0006440117.tif 000004
【図４】
0006440117.tif 000005
【図５】
0006440117.tif 000006
【図６】
0006440117.tif 000007
【図７】
0006440117.tif 000008
【図８】
0006440117.tif 000009
【図９】
0006440117.tif 000010
【図１０】
0006440117.tif 000011
【図１１】
0006440117.tif 000012
【図１２】
0006440117.tif 000013